(57)【特許請求の範囲】
【請求項１】
着用者の前後方向に相当する縦方向とこれに直交する横方向とを有し、液保持性の吸収体を具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されている使い捨て着用物品であって、
前記前身頃及び前記後身頃の何れか一方の胴回り部には、着用者の汗を吸収可能な親水性シートが、前記吸収体の縦方向の端部を含んで前記吸収性本体上を横切って横方向に延びて配され固定されており、
前記親水性シートは、前記吸収体の端部の輪郭よりも外方で該端部を囲む部分に、着用者の汗を吸収することが抑制された抑制領域を有し、
前記抑制領域は、前記吸収性本体の端部の端縁を跨いで形成され、且つ前記吸収体の輪郭に沿ってコの字状に連続して形成されており、
前記親水性シートは、少なくとも横方向における前記吸収性本体よりも外方に前記抑制領域ではない部分を有している使い捨て着用物品。
【請求項２】
前記抑制領域は、前記親水性シートに撥水化剤を塗工することにより形成されている請求項１に記載の使い捨て着用物品。
【請求項３】
前記抑制領域は、その厚みが、前記親水性シートにおける該抑制領域以外の領域の厚みよりも薄い請求項１又は２に記載の使い捨て着用物品。
【請求項４】
前記抑制領域は、前記親水性シートをヒートシールすることにより形成されている請求項３に記載の使い捨て着用物品。
【請求項５】
前記外装体は、着用者の身体から相対的に遠い側に位置する外層シートと、着用者の身体に相対的に近い側に位置する内層シートとを含んで構成されており、
前記親水性シートは、前記内層シートと固定されており、
前記外層シートと前記内層シートとは、前記一対のサイドシール部を除き、前記親水性シートが存在する領域において互いに固定されていない請求項１〜４の何れか１項に記載の使い捨て着用物品。
【請求項６】
前記外装体は、着用者の身体から相対的に遠い側に位置する外層シートと、着用者の身体に相対的に近い側に位置する内層シートとを含んで構成されており、
前記親水性シートと前記内層シートとの間に位置して、前記抑制領域の横方向の両外方に、横方向に伸縮する弾性部材が配されている請求項１〜５の何れか１項に記載の使い捨て着用物品。
【発明の詳細な説明】
【技術分野】
【０００１】
本発明は、パンツ型使い捨ておむつ等の使い捨て着用物品に関する。
【背景技術】
【０００２】
従来、パンツ型使い捨ておむつとしては、液保持性の吸収体を具備する吸収性本体と、該吸収性本体の非肌対向面側に配されてこれを横方向中央部で固定している外装体とを備え、着用者の前後方向に相当する縦方向とこれに直交する横方向とを有し、且つ縦方向において着用時に着用者の腹側に位置する前身頃と背側に位置する後身頃とに二分され、該前身頃及び該後身頃それぞれにおける該外装体の縦方向に沿う両側縁部どうしが接合されて一対のサイドシール部、ウエスト開口部及び一対のレッグ開口部が形成されているものが汎用されている。例えば特許文献１〜２には、斯かる構成のパンツ型使い捨ておむつにおいて、着用状態で着用者の肌に当接する部分に、親水性の優れた素材からなる吸汗シートを配置している技術が開示されている。
【０００３】
このような吸汗シートが配置されていれば、汗を吸汗することができ、肌の弱い高齢者が使用したとしても、汗疹等の肌トラブルを低減することができる。
【先行技術文献】
【特許文献】
【０００４】
【特許文献１】特開２０１３−１７２８６３号公報
【特許文献２】特表２００１−３２７５３４号公報
【発明の概要】
【発明が解決しようとする課題】
【０００５】
しかし、吸汗シートは、吸収体で保持された尿等の体液が吸収性本体の端部に伝わってくると、親水性の優れた素材であるため、伝わってきた体液を止めることができず、吸汗シートに滲み込んで、最終的に体液が伝い漏れしてしまう恐れがあった。
【０００６】
したがって本発明は、前述した従来技術が有する欠点を解消し得る使い捨て着用物品を提供することにある。
【課題を解決するための手段】
【０００７】
本発明は、着用者の前後方向に相当する縦方向とこれに直交する横方向とを有し、液保持性の吸収体を具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されている使い捨て着用物品であって、前記前身頃及び前記後身頃の何れか一方の胴回り部には、着用者の汗を吸収可能な親水性シートが、前記吸収体の縦方向の端部を含んで前記吸収性本体上を横切って横方向に延びて配され固定されており、前記親水性シートは、前記吸収体の端部の輪郭よりも外方で該端部を囲む部分に、着用者の汗を吸収することが抑制された抑制領域を有している使い捨て着用物品を提供するものである。
【発明の効果】
【０００８】
本発明によれば、汗を吸汗することができ、肌の弱い高齢者が使用したとしても、汗疹等の肌トラブルを低減することができると共に、体液が伝い漏れし難く、衣服を汚し難い。
【図面の簡単な説明】
【０００９】
【図１】図１は、本発明の使い捨て着用物品の一実施形態であるパンツ型使い捨ておむつを模式的に示す斜視図である。
【図２】図２は、図１に示すおむつの展開且つ伸長状態における肌対向面側（内面側）を模式的に示す展開平面図である。
【図３】図３は、図２に示すＩＩＩ−ＩＩＩ線断面図である。
【図４】図４は、図２に示すＩＶ−ＩＶ線断面図である。
【図５】図５は、図１に示すおむつを分解して模式的に示す分解斜視図である。
【図６】図６は、図１に示すおむつの外装体を構成する伸縮性の外層シートの一部（腹側外層シート）の一例を模式的に示す一部破断斜視図である。
【図７】図７（ａ）は、他の実施形態のパンツ型使い捨ておむつの展開且つ伸長状態における肌対向面側（内面側）の一部を模式的に示す展開平面図、図７（ｂ）は、更に他の実施形態のパンツ型使い捨ておむつの展開且つ伸長状態における肌対向面側（内面側）の一部を模式的に示す展開平面図である。
【図８】図８は、また別の実施形態のパンツ型使い捨ておむつの展開且つ伸長状態における肌対向面側（内面側）の一部を模式的に示す展開平面図である（図２相当図）。
【発明を実施するための形態】
【００１０】
以下本発明を、その好ましい実施形態に基づき図面を参照しながら説明する。図１〜図５には、本発明の使い捨て着用物品の一実施形態であるパンツ型使い捨ておむつ１が記載されている。おむつ１は、着用者の前後方向に相当する縦方向Ｘとこれに直交する横方向Ｙとを有し、液保持性の吸収体２３を具備する吸収性本体２と、該吸収性本体２の非肌対向面側に配されて該吸収性本体２を固定している外装体３とを備え、前身頃Ｆ及び後身頃Ｒそれぞれにおける該外装体３の縦方向Ｘに沿う両側縁部ＦＳ，ＲＳどうしが接合されて、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１１】
図２及び図３に示すように、前身頃Ｆは、おむつ１を縦方向Ｘに二分する縦中心線Ｌｘを基準として、着用時に着用者の身体の前側（腹側）を覆う部分であり、後身頃Ｒは、着用者の身体の後側（背側）を覆う部分である。また本明細書において、肌対向面は、おむつ１及びその構成部材（例えば吸収性本体２）における、着用状態において着用者の肌側に向けられる面（着用者の肌に近い側）であり、非肌対向面は、おむつ１及びその構成部材における、着用状態において着用者の肌側とは反対側に向けられる面（相対的に肌対向面よりも肌から遠い側）である。
【００１２】
おむつ１は、着用状態において着用者の腹側に配される腹側部１Ａ、背側に配される背側部１Ｃ、及びそれらの間に位置して着用者の股間部に配される股下部１Ｂを有している。おむつ１の縦方向Ｘは、前身頃Ｆと後身頃Ｒとの間を延びる方向、即ち、腹側部１Ａと背側部１Ｃとの間を股下部１Ｂを介して延びる方向であり、吸収性本体２の長手方向に一致する。腹側部１Ａは前身頃Ｆの一部であり、背側部１Ｃは後身頃Ｒの一部であり、股下部１Ｂは前身頃Ｆと後身頃Ｒとに跨って存している。腹側部１Ａ及び背側部１Ｃは、何れも縦方向Ｘにおいてサイドシール部Ｓと同位置にある部分であり、おむつ１の着用時に着用者の胴回りに配される胴回り部である。股下部１Ｂは、外装体３の縦方向Ｘに沿う両側縁部にレッグ開口部ＬＨ，ＬＨ形成用の凹欠部（レッグ縁部ＬＳ，ＬＳ）が形成されている領域である。股下部１Ｂは、おむつ１の着用時に着用者の排泄部に対向配置される排泄部対向部を有しており、該排泄部対向部は通常、おむつ１の縦方向Ｘの中央部（縦中心線Ｌｘ上）又はその近傍に位置している。
【００１３】
吸収性本体２は、図２及び図３に示したように平面視矩形形状を有しており、その長手方向を展開且つ伸長状態におけるおむつ１の縦方向Ｘに一致させて、横方向Ｙにおける外装体３の中央部に配置され、接着剤により外装体３に接合されている。外装体３は、図２及び図３に示す如きおむつ１の展開且つ伸長状態のおむつ１の外形を形作っており、外装体３の周縁は、その状態のおむつ１の輪郭線を形成している。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１４】
吸収性本体２は、図４に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を有しており、これらが接着剤等の公知の接合手段により一体化されて構成されている。表面シート２１及び裏面シート２２はそれぞれ、吸収体２３の周縁から外方に延出した延出部において直接的に又は他の部材（例えば後述する側方カフス２４）を介在させて互いに接合されており、吸収体２３を挟持・固定している。吸収体２３は、おむつ１（外装体３）の横方向Ｙの中央部に位置している。表面シート２１及び裏面シート２２としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。
【００１５】
吸収体２３は、パルプ繊維等の繊維の集合体に吸水性ポリマーの粒子を保持させてなる吸収性コア２３１と、該吸収性コア２３１を被覆する紙、不織布等のコアラップシート２３２とから形成されている。吸収性コア２３１は、平面視において、縦方向Ｘの中央部が前後端部（縦方向Ｘ両端部）それぞれよりも横方向Ｙの長さ（幅）が短く、縦方向Ｘの中央部が括れた平面視砂時計状（ダンベル状）をなしている。吸収体２３は、吸収性コア２３１の全体をコアラップシート２３２によって一体的に被覆されて形成されており、平面視矩形形状に形成されている。
【００１６】
吸収性本体２の肌対向面における縦方向Ｘに沿う左右両側部には、図２、図４及び図５に示すように、液抵抗性又は撥水性で且つ通気性のシート材２５から構成された側方カフス２４，２４が設けられている。各側方カフス２４の自由端部の近傍には糸状の側方カフス弾性部材２６が１本又は複数本伸長状態で配されている。各側方カフス２４は、伸長状態で配された側方カフス弾性部材２６がおむつ１の着用状態において収縮することによって少なくとも股下部１Ｂで起立し、液の側方への流出を阻止する。
【００１７】
外装体３は、図２に示すように、その縦方向Ｘに沿う両側縁が股下部１Ｂにおいて内向きの円弧状に湾曲して一対のレッグ縁部ＬＳ，ＬＳを形成しており、図２に示す如き平面視において、縦方向Ｘの中央域が横方向Ｙの内方に向けて括れた砂時計状の形状を有している。股下部１Ｂには、外装体３において横方向Ｙの長さが最も短い部位が存している。外装体３は、前身頃Ｆ（腹側部１Ａ）における縦方向Ｘに沿う両側縁部ＦＳ，ＦＳと後身頃Ｒ（背側部１Ｃ）における縦方向Ｘに沿う両側縁部ＲＳ，ＲＳとが、接着剤、ヒートシール、超音波シール等の公知の接合手段によって互いに接合されており、その接合によって、図１に示すように、おむつ１に一対のサイドシール部Ｓ，Ｓが形成され、さらにウエスト開口部ＷＨ及び一対のレッグ開口部ＬＨ，ＬＨが形成されている。
【００１８】
外装体３は、図４及び図５に示すように、外層シート３１と内層シート３２との積層体を含んで構成されている。おむつ１の着用状態において、外層シート３１は着用者の身体から遠い側に位置して、おむつ１の非肌対向面（外面）を形成し、内層シート３２は、着用者の身体に近い側に位置して、おむつ１の肌対向面（内面）を形成する。外層シート３１と内層シート３２との間は、後述する所定の部位を除き、接着剤によって接合されている。
【００１９】
本実施形態においては、図３及び図５に示すように、内層シート３２は１枚の連続したシートから構成されているのに対し、外層シート３１は複数枚のシートが組み合わされて構成されており、腹側部１Ａを構成する腹側外層シート３１Ａと、背側部１Ｃを構成する背側外層シート３１Ｃと、両シート３１Ａ，３１Ｃ間に位置して股下部１Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００２０】
図２、図３及び図５に示すように、腹側外層シート３１Ａは、内層シート３２の腹側部１Ａ側の縦方向Ｘの端部から外方に延出する腹側延出部３１ＡＥを有し、また、背側外層シート３１Ｃは、内層シート３２の背側部１Ｃ側の縦方向Ｘの端部から外方に延出する背側延出部３１ＣＥを有しており、両延出部３１ＡＥ，３１ＣＥは、それぞれ、内層シート３２側に折り返され、接着剤によって、内層シート３２の肌対向面及び後述する親水性シート５に固定されている。
【００２１】
本実施形態においては、外層シート３１を構成する腹側外層シート３１Ａ及び背側外層シート３１Ｃは横方向Ｙに伸縮性を有しているのに対し、外層シート３１の残りの部分（股下外層シート３１Ｂ）及び内層シート３２は伸縮性を有しておらず非伸縮性である。従って、外装体３において、シート３１Ａ，３１Ｃを含む領域は横方向Ｙに伸縮性を有し、シート３１Ａ，３１Ｃを含まない領域は横方向Ｙに伸縮性を有していない。本実施形態においては、前身頃Ｆの胴回り部である腹側部１Ａは腹側外層シート３１Ａを含み、後身頃Ｒの胴回り部である背側部１Ｃは背側外層シート３１Ｃを含むから、腹側部１Ａ及び背側部１Ｃ共に、横方向Ｙに伸縮性を有している。また本実施形態においては、腹側外層シート３１Ａが、腹側部１Ａと股下部１Ｂとの境界、即ち、前身頃Ｆにおける一対のサイドシール部Ｓ，Ｓそれぞれの下端（縦方向Ｘの内方側の端部）を通って横方向Ｙに延びる仮想直線を越えて股下部１Ｂに延出し、背側外層シート３Ｃが、背側部１Ｃと股下部１Ｂとの境界、即ち、後身頃Ｒにおける一対のサイドシール部Ｓ，Ｓそれぞれの下端（縦方向Ｘの内方側の端部）を通って横方向Ｙに延びる仮想直線を越えて股下部１Ｂに延出しているので、股下部１Ｂにおける両シート３１Ａ，３１Ｃのこれら延出部を含む部分、即ち、股下部１Ｂにおける腹側部１Ａ及び背側部１Ｃ寄りの部分も、それぞれ横方向Ｙに伸縮性を有している。一方、股下部１Ｂにおける腹側部１Ａ及び背側部１Ｃ寄り以外の部分（股下部１Ｂの縦方向Ｘの中央部）は横方向Ｙに伸縮性を有していない。
【００２２】
腹側外層シート３１Ａ及び背側外層シート３１Ｃは、少なくとも横方向Ｙに伸縮性を有している。図６には、伸縮性の腹側外層シート３１Ａの一例が示されている。図６に示す腹側外層シート３１Ａは、非弾性繊維を主体とする伸長可能な繊維層の一面に糸状の弾性フィラメントが接合した構成を有するもので、該繊維層としての２枚の繊維シート４１，４２と、両シート４１，４２間に介在配置された該弾性フィラメントとしての弾性部材４３とを含んで構成されている。斯かる構成を有する伸縮性の背側外層シート３１Ａは、例えば、特開２００９−６１７４３号公報に記載の方法に従って製造することができる。伸縮性の背側外層シート３１Ｃも図６に示す伸縮性の腹側外層シート３１Ａと同様に構成することができる。
【００２３】
腹側外層シート３１Ａを構成する２枚のシート４１，４２は、何れも伸長可能なものである。シート４１，４２は、弾性部材４３の延びる方向（横方向Ｙ）と同方向に伸長可能になっている。伸長可能とは、（イ）シート４１，４２の構成繊維自体が伸長する場合と、（ロ）構成繊維自体は伸長しなくても、交点において結合していた繊維どうしが離れたり、繊維どうしの結合等により複数本の繊維で形成された立体構造が構造的に変化したり、構成繊維がちぎれたりして、シート４１，４２全体として伸長する場合とを包含する。
【００２４】
腹側外層シート３１Ａを構成する弾性部材４３は、弾性樹脂が溶融又は軟化した状態で延伸されて形成された弾性フィラメントである。複数の弾性部材４３は、それぞれ、シート３１Ａの全長（外装体３の横方向Ｙの全長）に亘って実質的に連続している。複数の弾性部材４３は、互いに交差せずに一方向（横方向Ｙ）に延びるように配列している。弾性部材４３は、実質的に非伸長状態で２枚のシート４１，４２に接合されている。シート３１Ａにおける弾性部材４３のシート４１，４２との接合は、シート４１，４２を構成する繊維（非弾性繊維）が弾性部材４３中に埋没した状態で該弾性部材４３に融着することによりなされたものであり、ホットメルト型接着剤等の接着剤を用いてなされたものではない。従って、シート４１，４２（非弾性繊維を主体とする伸長可能な繊維層）とこれに接合されている弾性部材４３との間には接着剤が存在しない。
【００２５】
腹側外層シート３１Ａは、弾性部材４３の延びる方向（横方向Ｙ）と同方向に伸縮可能になっている。シート３１Ａの伸縮性は、弾性部材４３の弾性に起因して発現する。シート３１Ａを弾性部材４３の延びる方向と同方向に引き伸ばすと、弾性部材４３及びシート４１，４２が伸長する。そしてシート３１Ａの引き伸ばしを解除すると、弾性部材４３が収縮し、その収縮に連れてシート４１，４２が引き伸ばし前の状態に復帰する。また、シート３１Ａにおいては、弾性部材４３と直交した状態で結合している他の弾性部材は存在していないので、シート３１Ａを、弾性部材４３の延びる方向（横方向Ｙ）と同方向に引き伸ばしたときには、該シート３１Ａが横方向Ｙに縮む、いわゆる幅縮みをほとんど起こさずに伸長する。
【００２６】
腹側外層シート３１Ａを構成する２枚のシート４１，４２は、それぞれ、短繊維の不織布であり得る。不織布としては、エアスルー不織布、ヒートロール不織布、スパンレース不織布、スパンボンド不織布、メルトブローン不織布等が挙げられる。シート４１とシート４２とは、同種のものでも良く、あるいは異種のものでも良い。ここで言う、「同種のシート」とは、シートの製造プロセス、シートの構成繊維の種類、構成繊維の繊維径や長さ、シートの厚みや坪量等がすべて同じであるシートどうしを意味する。これらのうちの少なくとも一つが異なる場合には、「異種のシート」である。
【００２７】
腹側外層シート３１Ａを構成する弾性部材４３（弾性フィラメント）は、例えば熱可塑性エラストマーやゴム等を原料とするものである。特に熱可塑性エラストマーを原料として用いると、通常の熱可塑性樹脂と同様に押出機を用いた溶融紡糸が可能であり、またそのようにして得られた弾性フィラメントは熱融着させやすいので、シート３１Ａに好適である。熱可塑性エラストマーとしては、例えば、ＳＢＳ（スチレン−ブタジエン−スチレン）、ＳＩＳ（スチレン−イソプレン−スチレン）、ＳＥＢＳ（スチレン−エチレン−ブタジエン−スチレン）、ＳＥＰＳ（スチレン−エチレン−プロピレン−スチレン）等のスチレン系エラストマー、オレフィン系エラストマー（エチレン系のα−オレフィンエラストマー、エチレン・ブテン・オクテン等を共重合したプロピレン系エラストマー）、ポリエステル系エラストマー、ポリウレタン系エラストマー等が挙げられ、これらの１種を単独で又は２種以上を組み合わせて用いることができる。また、これらの樹脂からなる芯鞘型又はサイド・バイ・サイド型の複合繊維を用いることもできる。
【００２８】
このように、腹側外層シート３１Ａ及び背側外層シート３１Ｃは伸縮性を有しているのに対し、股下外層シート３１Ｂ及び内層シート３２は伸縮性を有しておらず非伸縮性である。非伸縮性のシート３１Ｂ，３２は、縦方向Ｘ又は横方向Ｙにおいて伸縮性を有しないことが好ましく、両方向Ｘ，Ｙの何れにも伸縮性を有しないことが好ましい。外装体３において、一部（腹側部１Ａ及び背側部１Ｃ）のみが伸縮性を有する外層シート３１と全体が非伸縮性の内層シート３２とは、外層シート３１の伸縮性を有する部分（腹側外層シート３１Ａ及び背側外層シート３１Ｃ）の伸長状態下に、相対向する面で接合されており、そのため、外装体３全体としては、腹側外層シート３１Ａ及び背側外層シート３１Ｃが配されている腹側部Ａ及び背側部Ｃ（胴回り部）は、少なくとも両シート３１Ａ，３１Ｃの伸長可能方向（横方向Ｙ）に伸縮性を有し、他の部分（股下部Ｂにおける腹側部１Ａ及び背側部１Ｃ寄り以外の部分。股下部１Ｂの縦方向Ｘの中央部。）は伸縮性を有してない。
【００２９】
シートが、ある方向に実質的に伸縮性を有しないとは、該シートに対して当該ある方向に引っ張る力を加えても、該シートが、殆ど伸びないことを意味する。例えば、長さ１５×幅５ｃｍのサンプルに対して、該サンプルをテンシロン等の材料引っ張り試験機で長手方向に引っ張って、該サンプルが破断するときの破断伸度が１０％以下である場合、そのサンプルは、長手方向に実質的に伸縮性を有しない。尚、破断伸度とは（破断時の該サンプル長さ−該サンプルの元の長さ）／（該サンプルの元の長さ）×１００で算出することができる。
【００３０】
非伸縮性の股下外層シート３１Ｂ及び内層シート３２としては、それぞれ、各種製法による不織布が好ましく用いられ、例えば、スパンボンド不織布、エアスルー不織布、ニードルパンチ不織布等である。非伸縮性のシート３１Ｂ，３２として用いる不織布の構成繊維としては、例えば、ポリエチレン（ＰＥ）、ポリプロピレン（ＰＰ）、ポリエチレンテレフタレート（ＰＥＴ）やポリブチレンテレフタレート（ＰＢＴ）等のポリエステル、ポリアミド等からなる繊維等が挙げられる。非伸縮性のシート３１Ｂ，３２として用いる不織布を構成する繊維は、短繊維でも長繊維でも良く、親水性でも撥水性でも良い。また、芯鞘型又はサイド・バイ・サイド型の複合繊維、分割繊維、異形断面繊維、捲縮繊維、熱収縮繊維等を用いることもできる。これらの繊維は、１種を単独で又は２種以上を組み合わせて用いることができる。
【００３１】
外装体３は、ウエスト開口部ＷＨの開口縁部にウエストギャザーを形成するウエスト弾性部材３３を備えている。即ち、腹側部Ａ及び背側部Ｃそれぞれにおけるウエスト開口部ＷＨの開口縁部には、１本又は複数本（本実施形態では複数本）のウエストギャザー形成用のウエスト弾性部材３３が横方向Ｙの全長に亘って伸長状態で配されており、これによってウエスト開口部ＷＨには、その全周に亘って実質的に連続した環状のウエストギャザーが形成されている。ウエスト弾性部材３３は、糸状又は帯状であり、外装体３を構成する外層シート３１と内層シート３２との間に接着剤により挟持固定されている。
【００３２】
また外装体３は、一対のレッグ開口部ＬＨ，ＬＨそれぞれの開口縁部にレッグギャザーを形成するレッグ弾性部材として、前身頃Ｆに伸長状態で配された１本又は複数本（本実施形態では複数本）の前側レッグ弾性部材３４と、後身頃Ｒに伸長状態で配された１本又は複数本（本実施形態では複数本）の後側レッグ弾性部材３５とを備えている。レッグ弾性部材３４，３５は、何れも糸状又は帯状であり、外装体３を構成する外層シート３１と内層シート３２との間に接着剤により挟持固定されている。
【００３３】
前側レッグ弾性部材３４は、図２に示すように、前身頃Ｆにおける腹側部１Ａ（胴回り部）を構成する外装体３の両側縁部ＦＳ，ＦＳ（サイドシール部Ｓ）それぞれからレッグ開口部ＬＨの開口縁部であるレッグ縁部ＬＳに沿って縦方向Ｘの内方且つ横方向Ｙの内方に延びて吸収性本体２の縦方向Ｘに沿う側縁２Ｓに達し、図２に示す如き平面視において吸収体２３と重なっている。即ち、前側レッグ弾性部材３４の側縁部ＦＳ側とは反対側の端部は、吸収体２３の配置領域に位置している。
【００３４】
後側レッグ弾性部材３５は、図２に示すように、後身頃Ｒにおける背側部１Ｃ（胴回り部）を構成する外装体３の両側縁部ＲＳ，ＲＳ（サイドシール部Ｓ）それぞれからレッグ開口部ＬＨの開口縁部であるレッグ縁部ＬＳに沿って縦方向Ｘの内方且つ横方向Ｙの内方に延びて吸収性本体２の縦方向Ｘに沿う側縁２Ｓに達し、図２に示す如き平面視において吸収体２３と重なっている。即ち、後側レッグ弾性部材３５の側縁部ＲＳ側とは反対側の端部は、吸収体２３の配置領域に位置している。
【００３５】
本実施形態のおむつ１においては、図２及び図３に示すように、前身頃Ｆ及び後身頃Ｒの胴回り部（腹側部１Ａ及び背側部１Ｃ）それぞれに、着用者の汗を吸収可能な親水性シート５が、吸収体２３の縦方向Ｘの端部２３ｅを含んで吸収性本体２上を横切って横方向Ｙに延びて配され固定されている。具体的には、一方の親水性シート５が、外装体３の前身頃Ｆ（腹側部１Ａ）における縦方向Ｘに沿う両側縁部ＦＳ，ＦＳ間に亘って帯状に延びており、吸収体２３の縦方向Ｘの端部２３ｅを含んで吸収性本体２の縦方向Ｘの前身頃Ｆ側の端部２ｆｅ上を覆って配されている。また、他方の親水性シート５が、外装体３の後身頃Ｒ（背側部１Ｃ）における縦方向Ｘに沿う両側縁部ＲＳ，ＲＳ間に亘って帯状に延びており、吸収体２３の縦方向Ｘの端部２３ｅを含んで吸収性本体２の縦方向Ｘの後身頃Ｒ側の端部２ｒｅ上を覆って配されている。尚、おむつ１においては、腹側部１Ａ及び背側部１Ｃのそれぞれに親水性シート５が配されているが、腹側部１Ａ及び背側部１Ｃの何れか一方に配されていればよい。
【００３６】
前身頃Ｆ側の親水性シート５に関しては、図２及び図３に示すように、該親水性シート５の縦方向Ｘの前身頃Ｆ側の端部が、腹側外層シート３１Ａにおける折り返された腹側延出部３１ＡＥで被覆されており、親水性シート５の前身頃Ｆ側の端部の肌対向面と腹側延出部３１ＡＥの非肌対向面とが、接着剤によって接合されている。また、前身頃Ｆ側の親水性シート５は、内層シート３２と固定されている。具体的には、親水性シート５の非肌対向面は、接着剤によって、内層シート３２の肌対向面と固定されており、更に、吸収性本体２の前身頃Ｆ側の端部２ｆｅの肌対向面を構成する表面シート２１及び側方カフス２４に固定されている。
【００３７】
同様に、後身頃Ｒ側の親水性シート５に関しては、図２及び図３に示すように、該親水性シート５の縦方向Ｘの後身頃Ｒ側の端部が、背側外層シート３１Ｃにおける折り返された背側延出部３１ＣＥで被覆されており、親水性シート５の後身頃Ｒ側の端部の肌対向面と背側延出部３１ＣＥの非肌対向面とが、接着剤によって接合されている。また、後身頃Ｒ側の親水性シート５は、内層シート３２と固定されている。具体的には、親水性シート５の非肌対向面は、接着剤によって、内層シート３２の肌対向面と固定されており、更に、吸収性本体２の後身頃Ｒ側の端部２ｒｅの肌対向面を構成する表面シート２１及び側方カフス２４に固定されている。
【００３８】
前身頃Ｆ側の親水性シート５が存在する領域においては、図３に示すように、外層シート３１と内層シート３２とは、一対のサイドシール部Ｓ，Ｓを除き、互いに固定されていない。具体的には、前身頃Ｆ側の親水性シート５が存在する領域において、腹側外層シート３１Ａと内層シート３２とは、一対のサイドシール部Ｓ，Ｓを除き、接着剤によって互いに接着されておらず、融着によっても互いに固定されていない。
【００３９】
同様に、後身頃Ｒ側の親水性シート５が存在する領域においては、図３に示すように、外層シート３１と内層シート３２とは、一対のサイドシール部Ｓ，Ｓを除き、互いに固定されていない。具体的には、後身頃Ｒ側の親水性シート５が存在する領域において、腹側外層シート３１Ａと内層シート３２とは、一対のサイドシール部Ｓ，Ｓを除き、接着剤によって互いに接着されておらず、融着によっても互いに固定されていない。
【００４０】
また、前身頃Ｆ側の親水性シート５が存在する領域においては、図２に示すように、横方向Ｘに伸縮する弾性部材５１ｆが配されている。１本又は複数本（本実施形態では複数本）弾性部材５１ｆが、親水性シート５と内層シート３２との間に位置して、後述する抑制領域６の横方向Ｙの両外方に延在するように配されている。詳述すると、本実施形態では、糸状又は帯状の複数本の弾性部材５１ｆが、図３に示すように、前身頃Ｆ側の吸収性本体２の端部２ｆｅと内層シート３２との間に配されて、親水性シート５と内層シート３２との間に配されている。また、糸状又は帯状の複数本の弾性部材５１ｆが、吸収性本体２と内層シート３２との間に配され、且つ、図２に示すように、外装体３の前身頃Ｆ（腹側部１Ａ）における縦方向Ｘに沿う両側縁部ＦＳ，ＦＳ間に亘って伸長状態で配されている。このように、弾性部材５１ｆが、吸収性本体２の非肌対向面側を通っているので、後述する抑制領域６の横方向Ｙの両外方に延在するように配されるようになる。弾性部材５１ｆは、前身頃Ｆ側の吸収性本体２の端部２ｆｅを構成する裏面シート２２と内層シート３２との間で接着剤により固定されている。
【００４１】
同様に、後身頃Ｒ側の親水性シート５が存在する領域においては、図２に示すように、横方向Ｙに伸縮する弾性部材５１ｒが配されている。１本又は複数本（本実施形態では複数本）弾性部材５１ｒが、親水性シート５と内層シート３２との間に位置して、後述する抑制領域６の横方向Ｙの両外方に延在するように配されている。詳述すると、本実施形態では、糸状又は帯状の複数本の弾性部材５１ｒが、図３に示すように、後身頃Ｒの吸収性本体２の端部２ｒｅと内層シート３２との間に配されて、親水性シート５と内層シート３２との間に配されている。また、糸状又は帯状の複数本の弾性部材５１ｒが、吸収性本体２と内層シート３２との間に配され、且つ、図２に示すように、外装体３の後身頃Ｒ（背側部１Ｃ）における縦方向Ｘに沿う両側縁部ＲＳ，ＲＳ間に亘って伸長状態で配されている。このように、弾性部材５１ｒが、吸収性本体２の非肌対向面側を通っているので、後述する抑制領域６の横方向Ｙの両外方に延在するように配されるようになる。弾性部材５１ｒは、後身頃Ｒ側の吸収性本体２の端部２ｒｅを構成する裏面シート２２と内層シート３２との間で接着剤により固定されている。
【００４２】
親水性シート５としては、パルプ、レーヨン又はコットン等のような親水性の繊維を含む紙或いは不織布等を用いることができる。尚、親水性シート５は、その構成繊維として、親水性の繊維以外に、熱シールによりフィルム化し易い観点から、熱可塑性の合成樹脂からなる繊維が混合されていてもよい。
【００４３】
親水性シート５は、図２及び図５に示すように、吸収体２３の端部２３ｅの輪郭よりも外方で該端部２３ｅを囲む部分に、着用者の汗を吸収することが抑制された抑制領域６を有している。具体的には、抑制領域６は、前身頃Ｆ側及び後身頃Ｒ側の親水性シート５それぞれに形成されている。前身頃Ｆ側の親水性シート５の抑制領域６は、吸収性本体２の前身頃Ｆ側の端部２ｆｅにおいて、吸収体２３の端部２３ｅの輪郭よりも外方で該輪郭に沿って端部２３ｅを囲むように、吸収性本体２の端部２ｆｅの端縁２ｆｅ１を跨いで形成されており、コの字状に連続して形成されている。また、後身頃Ｒ側の親水性シート５の抑制領域６は、吸収性本体２の後身頃Ｒ側の端部２ｒｅにおいて、吸収体２３の端部２３ｅの輪郭よりも外方で該輪郭に沿って端部２３ｅを囲むように、吸収性本体２の端部２ｒｅの端縁２ｒｅ１を跨いで形成されており、コの字状に連続して形成されている。
【００４４】
上述したように、本実施形態のおむつ１においては、前身頃Ｆ側の抑制領域６及び後身頃Ｒ側の抑制領域６が、それぞれ、吸収体２３の端部２３ｅの輪郭よりも外方で該輪郭に沿って端部２３ｅを囲むように、コの字状に形成されているが、吸収体２３の端部２３ｅ全体を覆うように形成されていてもよい。このように吸収体２３の端部２３ｅ全体を覆うように抑制領域６が形成されていれば、吸収体２３の端部２３ｅの輪郭となる端縁からの体液の伝わりを更に止めることができ、吸収性本体２からの親水性シート５へ体液の滲み込みが更に防止できるからである。前身頃Ｆ側の親水性シート５及び後身頃Ｒ側の親水性シート５の全ての領域が抑制領域６ではないこと、すなわち、少なくとも横方向Ｙにおける吸収性本体２よりも外方に抑制領域６ではない部分を有することによって、汗を吸汗することができる。
【００４５】
抑制領域６は、親水性シート５に撥水化剤を塗工したり、親水性シート５が合成樹脂からなる繊維を含有している場合には、該親水性シート５をヒートシールしたりして形成することができる。尚、親水性シート５が合成樹脂からなる繊維を含有している場合には、親水性シート５に撥水化剤を塗工すると共に、該親水性シート５をヒートシールしてもよい。ここで、抑制領域６にて着用者の汗を吸収することが抑制されているか否かは、接触角法による接触角度が９０度以上であるか否かで判断する。接触角の測定には、協和界面科学株式会社製の接触角計ＭＣＡ−Ｊを用いる。具体的には、抑制領域６上に、イオン交換水を滴下（約２０ピコリットル）した後、直ちに前記接触角計を用いて接触角度の測定を行う。測定は、抑制領域６上の５箇所以上の箇所で行う。
【００４６】
塗工する撥水化剤としては、シリコン系、パラフィン金属系、アルキルクロミッククロイド系、フッ素系、アンキルホスフェート系等が挙げられる。
撥水化剤の塗工量（撥水化剤が実際に塗工されている領域での塗工量を意味する。）は、撥水処理による体液の伝い漏れを抑制する効果をより確実に奏させる観点から、０．０１ｇ／ｍ2以上１．０ｇ／ｍ2以下の範囲とすることが好ましく、０．１ｇ／ｍ2以上０．３ｇ／ｍ2以下の範囲とすることが更に好ましい
【００４７】
尚、親水性シート５をヒートシールして抑制領域６を形成するとは、親水性シート５をヒートシールして親水性シート５をフィルム化することによって形成することを意味する。このように抑制領域６がフィルム化することによって形成されれば、抑制領域６は、その厚みが、親水性シート５における抑制領域６以外の領域の厚みよりも薄く形成される。
【００４８】
抑制領域６を撥水化剤の塗工により形成する場合には、塗工模様に特にこだわる必要はないが、抑制領域６をヒートシールして形成する場合には、ヒートシール部分を硬くし難くする観点から、ヒートシール部分の間に非ヒートシール部分が形成されるようなエンボス形状であることが好ましい。このようなエンボス形状としては、例えば、図２に示すようなヒートシール線が互いに交差して複数の菱形を形成する格子柄形状、図７（ａ）に示すようなヒートシール線が互いに直交して複数の矩形を形成する格子柄形状、図７（ｂ）に示すようなヒートシール部が市松模様となった格子柄形状等が挙げられる。
【００４９】
また、抑制領域６を撥水化剤の塗工により形成する場合には、親水性シート５の肌対向面及び非肌対向面の何れか一方に撥水化剤を塗工すればよいが、体液の伝い漏れ防止の観点から、少なくとも非肌対向面に撥水化剤を塗工することが好ましく、肌対向面及び非肌対向面の両面に撥水化剤を塗工することが更に好ましい。
また、抑制領域６をヒートシールして形成する場合には、親水性シート５の肌対向面側及び非肌対向面側の何れか一方側から熱エンボスを施せばよいが、体液の伝い漏れ防止の観点から、非肌対向面側から熱エンボスを施すことが好ましい。
【００５０】
上述した本発明の一実施形態のパンツ型使い捨ておむつ１を使用した際の作用効果について説明する。
おむつ１においては、図２に示すように、着用者の汗を吸収可能な親水性シート５が、前身頃Ｆ及び後身頃Ｒの胴回り部（腹側部１Ａ及び背側部１Ｃ）それぞれに、吸収体２３の縦方向Ｘの端部２３ｅを含んで吸収性本体２上を横切って横方向Ｙに延びて配設固定されている。このようなおむつ１の着用状態においては、親水性シート５が着用者の肌に当接するようになる。従って、着用者の体から生じた汗が速やかに親水性シート５によって吸収されるとともに、吸収された汗は外装体３を通じて円滑におむつ１の外部へ蒸散される。よって、おむつ１によれば、汗を吸汗することができると共に、着用状態でのおむつ１の内部の蒸れが効果的に抑制され、肌の弱い高齢者が使用したとしても、汗疹等の肌トラブルを低減することができる。
【００５１】
また、おむつ１においては、図２に示すように、親水性シート５が、吸収体２３の端部２３ｅの輪郭よりも外方で該端部２３ｅを囲む部分に、着用者の汗を吸収することが抑制された抑制領域６を有している。その為、吸収体２３で保持された尿等の体液が吸収性本体２の縦方向Ｘの端部２ｆｅ，２ｒｅに伝わってきたとしても、抑制領域６で止めることができ、親水性シート５に滲み込み難く、最終的に体液が伝い漏れし難く、衣服を汚し難くなっている。特に、おむつ１においては、図２に示すように、前身頃Ｆ側の親水性シート５の抑制領域６は、吸収体２３の端部２３ｅの輪郭よりも外方で該輪郭に沿って端部２３ｅを囲むように、吸収性本体２の端部２ｆｅの端縁２ｆｅ１を跨いで形成されており、後身頃Ｒ側の親水性シート５の抑制領域６も、吸収体２３の端部２３ｅの輪郭よりも外方で該輪郭に沿って端部２３ｅを囲むように、吸収性本体２の端部２ｒｅの端縁２ｒｅ１を跨いで形成されている。その為、吸収性本体２の端縁２ｆｅ１，２ｒｅ１からの体液の伝わりを更に止めることができ、更に体液が伝い漏れし難く、衣服を更に汚し難くなっている。
【００５２】
また、おむつ１においては、図３に示すように、前身頃Ｆ側の親水性シート５が存在する領域にて、外層シート３１と内層シート３２とが互いに固定されておらず、後身頃Ｒ側の親水性シート５が存在する領域にて、外層シート３１と内層シート３２とが互いに固定されていない。その為、外層シート３１と内層シート３２の間に空間が形成され、着用者の体から生じた汗が速やかに親水性シート５によって吸収されるとともに、吸収された汗は内層シート３２及び外層シート３１を通じて円滑におむつ1の外部へ蒸散される。したがって、着用状態でおむつ１の内部の蒸れが効果的に抑制され、肌の弱い高齢者が使用したとしても、汗疹等の肌トラブルを低減することができる。
【００５３】
また、おむつ１においては、図２及び図３に示すように、前身頃Ｆ側の親水性シート５が存在する領域にて、横方向Ｙに伸縮する弾性部材５１ｆが配されており、後身頃Ｒ側の親水性シート５が存在する領域にて、横方向Ｙに伸縮する弾性部材５１ｒが配されている。その為、弾性部材５１ｆ，５１ｒの収縮により、吸収性本体２から横方向Ｙ両外方の親水性シート５が着用者の肌に更に当接し易く、着用者の体から生じた汗が更に速やかに吸収されるようになっている。
【００５４】
また、おむつ１の抑制領域６が、親水性シート５をヒートシールして親水性シート５をフィルム化することによって形成されていれば、抑制領域６の厚みが抑制領域６以外の領域の厚みよりも薄く形成されようになる。このように抑制領域６が薄く形成されれば、抑制領域６がおむつ１の着用中に着用者の肌に当接し難く、違和感を与え難く、装着性が向上する。
【００５５】
本発明の使い捨て着用物品は、上述した本実施形態のパンツ型使い捨ておむつ１に何ら制限されるものではなく、適宜変更可能である。
例えば、おむつ１においては、図３に示すように、前身頃Ｆ側の親水性シート５が存在する領域にて、外層シート３１と内層シート３２とが互いに固定されておらず、後身頃Ｒ側の親水性シート５が存在する領域にて、外層シート３１と内層シート３２とが互いに固定されていないが、外層シート３１と内層シート３２とが互いに固定されていても良い。また前記実施形態においては、図２及び図３に示すように、前身頃Ｆ側の親水性シート５が存在する領域にて、横方向Ｙに伸縮する弾性部材５１ｆが配されており、後身頃Ｒ側の親水性シート５が存在する領域にて、横方向Ｙに伸縮する弾性部材５１ｒが配されているが、前身頃Ｆ側及び後身頃Ｒ側の何れか一方の弾性部材５１ｆ，５１ｒが配されていなくてもよく、図８に示すように、前身頃Ｆ側及び後身頃Ｒ側の何れにおいても弾性部材５１ｆ，５１ｒが配されていなくてよい。
【００５６】
また前記実施形態においては、外層シート３１は複数枚のシートが組み合わされて構成されていたが、内層シート３２と同様に１枚の連続したシートから構成されていても良い。この１枚の連続したシートは伸縮性を有していなくてもよい。また前記実施形態におけるシート３１Ａ，３１Ｃも、伸縮性をすることは必須ではない。
また、外装体３は、腹側部１Ａに位置する外装体腹側領域及び背側部１Ｂに位置する外装体背側領域とに分割されており、吸収性本体２は、前記外装体腹側領域及び前記外装体背側領域に架け渡して固定されていても良い。
【００５７】
また、本発明の使い捨て着用物品には、パンツ型使い捨ておむつ１以外のテープ型使い捨ておむつ、尿とりパッド等も含まれる。
【００５８】
上述した実施形態に関し、さらに以下の使い捨て着用物品を開示する。
【００５９】
＜１＞
着用者の前後方向に相当する縦方向とこれに直交する横方向とを有し、液保持性の吸収体を具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されている使い捨て着用物品であって、
前記前身頃及び前記後身頃の何れか一方の胴回り部には、着用者の汗を吸収可能な親水性シートが、前記吸収体の縦方向の端部を含んで前記吸収性本体上を横切って横方向に延びて配され固定されており、
前記親水性シートは、前記吸収体の端部の輪郭よりも外方で該端部を囲む部分に、着用者の汗を吸収することが抑制された抑制領域を有している使い捨て着用物品。
【００６０】
＜２＞
前記抑制領域は、前記親水性シートに撥水化剤を塗工することにより形成されている前記＜１＞に記載の使い捨て着用物品。
＜３＞
前記抑制領域は、その厚みが、前記親水性シートにおける該抑制領域以外の領域の厚みよりも薄い前記＜１＞又は＜２＞に記載の使い捨て着用物品。
＜４＞
前記抑制領域は、前記親水性シートをヒートシールすることにより形成されている前記＜３＞に記載の使い捨て着用物品。
＜５＞
前記外装体は、着用者の身体から相対的に遠い側に位置する外層シートと、着用者の身体に相対的に近い側に位置する内層シートとを含んで構成されており、
前記親水性シートは、前記内層シートと固定されており、
前記外層シートと前記内層シートとは、前記一対のサイドシール部を除き、前記親水性シートが存在する領域において互いに固定されていない前記＜１＞〜＜４＞の何れか１に記載の使い捨て着用物品。
＜６＞
前記外装体は、着用者の身体から相対的に遠い側に位置する外層シートと、着用者の身体に相対的に近い側に位置する内層シートとを含んで構成されており、
前記親水性シートと前記内層シートとの間に位置して、前記抑制領域の横方向の両外方に、横方向に伸縮する弾性部材が配されている前記＜１＞〜＜５＞の何れか１に記載の使い捨て着用物品。
＜７＞
前記抑制領域は、前記吸収性本体の端部において、前記吸収体の端部２３ｅの輪郭よりも外方で該輪郭に沿って該吸収体の端部を囲むように、該吸収性本体の端部の端縁を跨いで形成されており、前記抑制領域はコの字状に連続して形成されている前記＜１＞〜＜６＞の何れか１に記載の使い捨て着用物品。
＜８＞
前記抑制領域は、前記吸収体の端部全体を覆うように形成されている前記＜１＞〜＜７＞の何れか１に記載の使い捨て着用物品。
＜９＞
前記親水性シートは、少なくとも横方向における前記吸収性本体よりも外方に抑制領域ではない部分を有する前記＜１＞〜＜８＞の何れか１に記載の使い捨て着用物品。
【００６１】
＜１０＞
前記撥水化剤の塗工量は、０．０１ｇ／ｍ2以上１．０ｇ／ｍ2以下、好ましくは０．１ｇ／ｍ2以上０．３ｇ／ｍ2以下の範囲である前記＜２＞に記載の使い捨て着用物品。
＜１１＞
前記抑制領域を前記ヒートシールして形成する場合には、ヒートシール部分の間に非ヒートシール部分が形成されるようなエンボス形状である前記＜４＞に記載の使い捨て着用物品。
＜１２＞
前記エンボス形状は、ヒートシール線が互いに交差して複数の菱形を形成する格子柄形状である前記＜１１＞に記載の使い捨て着用物品。
＜１３＞
前記エンボス形状は、ヒートシール線が互いに直交して複数の矩形を形成する格子柄形状である前記＜１１＞に記載の使い捨て着用物品。
＜１４＞
前記エンボス形状は、ヒートシール部が市松模様となった格子柄形状である前記＜１１＞に記載の使い捨て着用物品。
＜１５＞
前記抑制領域をヒートシールして形成する場合には、前記親水性シートの非肌対向面側から熱エンボスを施す、前記＜４＞に記載の使い捨て着用物品。
＜１６＞
前記親水性シートの少なくとも非肌対向面に前記撥水化剤を塗工する前記＜２＞に記載の使い捨て着用物品。
＜１７＞
前記親水性シートは、パルプ、レーヨン又はコットンを含む紙或いは不織布である前記＜１＞〜＜１６＞の何れか１に記載の使い捨て着用物品。
＜１８＞
前記親水性シートが少なくとも前記前身頃に配されている前記＜１＞〜＜１７＞の何れか１に記載の使い捨て着用物品。
＜１９＞
前記親水性シートの縦方向の前身頃側の端部が、前記外層シートにおける折り返された延出部で被覆されており、
前記親水性シートの縦方向の前身頃側の端部の肌対向面と前記延出部の非肌対向面とが接合されている前記＜５＞又は＜６＞に記載の使い捨て着用物品。
＜２０＞
前記親水性シートの非肌対向面は、前記内層シートの肌対向面と固定されており、更に、前記吸収性本体の前記前身頃側の端部の肌対向面に固定されている前記＜５＞又は＜６＞に記載の使い捨て着用物品。
＜２１＞
複数本の弾性部材が、前記吸収性本体と前記内層シートとの間に配され、且つ、前記外装体の前記前身頃における縦方向に沿う両側縁部間に亘って伸長状態で配されている前記＜５＞又は＜６＞に記載の使い捨て着用物品。
【００６２】
＜２２＞
前記親水性シートが少なくとも前記後身頃に配されている前記＜１＞〜＜２１＞の何れか１に記載の使い捨て着用物品。
＜２３＞
前記親水性シートの縦方向の前記後身頃側の端部が、前記外層シートにおける折り返された延出部で被覆されており、
前記親水性シートの縦方向の前記後身頃側の端部の肌対向面と前記延出部の非肌対向面とが接合されている前記＜５＞又は＜６＞に記載の使い捨て着用物品。
＜２４＞
前記親水性シートの非肌対向面は、前記内層シートの肌対向面と固定されており、更に、前記吸収性本体の前記後身頃側の端部２の肌対向面に固定されている前記＜５＞又は＜６＞に記載の使い捨て着用物品。
＜２５＞
複数本の弾性部材が、前記吸収性本体と前記内層シートとの間に配され、且つ、前記外装体の前記後身頃における縦方向に沿う両側縁部間に亘って伸長状態で配されている前記＜５＞又は＜６＞に記載の使い捨て着用物品。
＜２６＞
前記外層シートは、腹側部を構成する腹側外層シートと、背側部を構成する背側外層シートと、両シート間に位置して股下部を構成する股下外層シートとを含んで構成されている前記＜５＞又は＜６＞に記載の使い捨て着用物品。
＜２７＞
前記腹側外層シート及び前記背側外層シートは横方向に伸縮性を有している前記＜２６＞に記載の使い捨て着用物品。
＜２８＞
前記股下外層シート及び前記内層シートは伸縮性を有しておらず非伸縮性である前記＜２６＞又は＜２７＞に記載の使い捨て着用物品。
＜２９＞
前記腹側外層シートが、前記前身頃における一対の前記サイドシール部それぞれの下端を通って横方向に延びる仮想直線を越えて股下部に延出し、
前記背側外層シートが、前記後身頃における一対の前記サイドシール部それぞれの下端を通って横方向に延びる仮想直線を越えて股下部に延出している前記＜２６＞〜＜２８＞の何れか１に記載の使い捨て着用物品。
＜３０＞
前記腹側外層シート及び前記背側外層シートは、非弾性繊維を主体とする伸長可能な繊維層の一面に糸状の弾性フィラメントが接合した構成を有する前記＜２６＞〜＜２９＞の何れか１に記載の使い捨て着用物品。
【００６３】
＜３１＞
前記外装体は、一対のレッグ開口部それぞれの開口縁部にレッグギャザーを形成するレッグ弾性部材として、前記前身頃に伸長状態で配された前側レッグ弾性部材と、前記後身頃に伸長状態で配された後側レッグ弾性部材とを備えている前記＜１＞〜＜３０＞の何れか１に記載の使い捨て着用物品。
＜３２＞
前記外層シート及び前記内層シートは伸縮性を有しておらず非伸縮性である前記＜５＞又は＜６＞に記載の使い捨て着用物品。
＜３３＞
前記吸収性本体は、肌対向面を形成する液透過性の表面シート、非肌対向面を形成する裏面シート、及び両シート間に介在配置された液保持性の吸収体を有する前記＜１＞〜＜３２＞の何れか１に記載の使い捨て着用物品。
＜３４＞
前記使い捨て着用物品は、パンツ型又はテープ型使い捨ておむつである前記＜１＞〜＜３３＞の何れか１に記載の使い捨て着用物品。
【符号の説明】
【００６４】
１  パンツ型使い捨ておむつ（使い捨て着用物品）
２  吸収性本体
２Ｓ  吸収性本体の縦方向に沿う側縁
２１  表面シート
２２  裏面シート
２３  吸収体
２３１  吸収性コア
２３２  コアラップシート
側方カフス（立体ギャザー）
３  外装体
３１  外層シート
３１Ａ  腹側外層シート（伸縮性シート）
３１Ｂ  股下外層シート（非伸縮性シート）
３１Ｃ  背側外層シート（伸縮性シート）
３２  内層シート（非伸縮性シート）
３３  ウエスト弾性部材
３４  前側レッグ弾性部材
３５  後側レッグ弾性部材
５  親水性シート
６  抑制領域
Ｆ  前身頃
Ｒ  後身頃
１Ａ  腹側部（前身頃の胴回り部）
１Ｂ  股下部
１Ｃ  背側部（後身頃の胴回り部）
Ｘ  縦方向
Ｙ  横方向
【図１】
0006467213.tif 000002
【図２】
0006467213.tif 000003
【図３】
0006467213.tif 000004
【図４】
0006467213.tif 000005
【図５】
0006467213.tif 000006
【図６】
0006467213.tif 000007
【図７】
0006467213.tif 000008
【図８】
0006467213.tif 000009